(57)【要約】【課題】それぞれがサブコンポジットの１部を成す導電層を形成するために連続プロセスが使用される多層回路基板の製造方法を提供すること。【解決手段】導電層６５の開口部が整列されるようにサブコンポジット７５が整列され、その後でサブコンポジット７５が一緒に接合され、複数の孔が接合構造の厚さ方向全体を通じてレーザー穿孔される。サブコンポジット７５で使用される絶縁層１０３・１０５は、連続または半連続繊維を含まない。【選択図】図１１
2008277820.tif 000002
【特許請求の範囲】
【請求項１】
少なくとも第１および第２の導電層に、それぞれ少なくとも第１および第２の複数の開口部を形成することを含む連続プロセスを用いて、前記少なくとも第１および第２の導電層を形成する工程と、
前記第１および第２の導電層をそれぞれ含む少なくとも第１および第２のサブコンポジットを形成し、少なくとも１つで、連続または半連続グラスファイバをその１部として含まない絶縁層が前記第１および第２の導電層のそれぞれに接合される工程と、
前記第１および第２の導電層内の前記第１および第２の複数の開口部が互いに対して整列するように、前記第１および第２のサブコンポジットを互いに対して整列させる工程と、
前記第１および第２のサブコンポジットを一緒に接合して多層基板を形成する工程と、
前記第１および第２のサブコンポジットの前記第１および第２の導電層内の前記整列された第１および第２の複数の開口部を含め、前記多層基板の厚さ方向に複数の孔をレーザー穿孔する工程と、
前記多層基板の厚さ方向に形成した前記複数の孔内に導電性材料を提供してこれを導電性貫通孔として、前記多層基板が回路基板を形成する前記第１および第２の導電層と前記導電性貫通孔とを含む工程と、
を備えることを特徴とする多層回路基板の製造方法。
【請求項２】
前記第１および第２の複数の開口部を形成する前記連続プロセスは、細長の導電層を設ける工程と、フォトレジストを前記細長の導電層の対向面に接合する工程と、前記フォトレジストを前記細長の導電層の前記対向面に露光し現像する工程と、その後で前記細長の導電層の露光部分を除去して前記第１および第２の複数の前記開口部を設ける工程とを含むことを特徴とする請求項１に記載の多層回路基板の製造方法。
【請求項３】
前記フォトレジストを前記細長の導電層の前記対向面に接合することは、積層手順の使用を含むことを特徴とする請求項２に記載の多層回路基板の製造方法。
【請求項４】
前記少なくとも１つの絶縁層を前記第１および第２の導電層のそれぞれに接合することは、積層手順の使用を含むことを特徴とする請求項１〜請求項３のいずれかに記載の多層回路基板の製造方法。
【請求項５】
前記第１および第２のサブコンポジット内に孔を形成する工程と、その後で前記孔のうち選択された孔内に導電性材料を提供する工程とをさらに含むことを特徴とする請求項１〜請求項４のいずれかに記載の多層回路基板の製造方法。
【請求項６】
前記孔は、レーザーを用いて前記第１および第２のサブコンポジット内に形成されることを特徴とする請求項５に記載の多層回路基板の製造方法。
【請求項７】
前記第１および第２のサブコンポジット内の前記孔のうち前記選択された孔内に前記導電性材料を設けることは、めっき作業の使用を含むことを特徴とする請求項５または請求項６に記載の多層回路基板の製造方法。
【請求項８】
前記第１および第２のサブコンポジットを一緒に接合して前記多層基板を形成することは積層プロセスを含むことを特徴とする請求項１〜請求項７のいずれかに記載の多層回路基板の製造方法。
【請求項９】
前記積層プロセスは、約１７０℃〜約２１０℃の範囲の温度で、および約４００ｐｓｉ〜約６００ｐｓｉの圧力で実行されることを特徴とする請求項８に記載の多層回路基板の製造方法。
【請求項１０】
前記第１および第２のサブコンポジットの前記第１および第２の導電層内の前記整列された第１および第２の複数の開口部を含め、前記多層基板の前記厚み全体を通じて前記複数の孔を、炭酸ガスまたは紫外線レーザー穿孔することを含むことを特徴とする請求項１〜請求項９のいずれかに記載の多層回路基板の製造方法。
【請求項１１】
前記複数の孔内に前記導電性材料を設けることは、めっきプロセスを用いて達成されることを特徴とする請求項１〜請求項１０のいずれかに記載の多層回路基板の製造方法。
【請求項１２】
前記めっきプロセスの実行前に、前記孔が埋め込まれることを特徴とする請求項１１に記載の多層回路基板の製造方法。
【請求項１３】
前記複数の孔内に前記導電性材料を設けることは、前記複数の孔内に導電ペーストを配置することを含むことを特徴とする請求項１〜請求項１２のいずれかに記載の多層回路基板の製造方法。
【発明の詳細な説明】
【技術分野】
【０００１】
本発明は、プリント回路板、チップキャリアなどの多層回路基板の製造に関する。本発明は特に、導電性貫通孔が設けられる上記基板の製造に関する。
【背景技術】
【０００２】
２００５年４月２１日に米国で出願された米国出願番号第１１／１１０，９１９号には、導体および絶縁体の層が装置に供給され、接合され、孔形成、回路化、最終的にはセグメント化などの各種プロセスが生じるその他の近傍のワークステーションに送られる連続ロールフォーマットを用いて回路基板を製造する装置および方法が定義される。結果として出来上がる基板は、他の類似の基板と個々に接合され、複数の導電性貫通孔、導体層、および絶縁層を１部として有するより大型の多層基板を形成することができる。
【０００３】
２００５年４月２１日に米国で出願された米国出願番号第１１／１１０，９２０号では、連続ロールフォーマットを用いて回路基板を製造する装置と方法も定義される。上記米国出願番号第１１／１１０，９１９号にあるように、導体層が装置に供給される。ただし、上記米国出願番号第１１／１１０，９２０号では、光画像形成可能絶縁層が導体層の対向面に塗布されて、その後でコンポジットを介して貫通孔が形成され、次に金属層が絶縁体上に追加される。パターン（たとえば、回路）が金属層に形成される。これらに追加していくつかの作業が実行され、最終的な完成品である回路基板（たとえば、プリント回路板）が形成され、その間ずっと完成品の導体層は、連続層から最終的に分離されるまで固体フォーマットで保持される。
【０００４】
上記の両出願とも本発明と同じ譲受人に譲渡されている。本願は、上記米国出願番号第１１／１１０，９１９号の一部継続出願である。
【０００５】
プリント回路板やチップキャリアなどの、特に多層型の回路基板の既知の製造中、エッチング、めっき、積層、穿孔、試験、検査などの多くの個々のプロセスが必要とされる。これらのプロセスは通常、製造施設内の異なる場所で実行されるので、上記様々な場所で１つのステーションから別のステーションまで部分的に完成した基板を輸送する必要がある。先に引用した２件の同時係属出願に定義されるように、連続ロールフォーマットで基板を製造しながら、これらの多くのプロセスを組み合わせることが可能である。
【０００６】
すなわち、最終的な基板の共有部分を連続的に移動させるために一連のロールが使用され、上記各プロセスがその上で実行される。この連続処理は、ロールツーロールフォーマットとして定義されるもので、基板を製造するためのプロセス全体で消費されるコストと時間を軽減する役割を果たす。上記節減は、複数の導電層および絶縁層を有する比較的複雑な多層基板を製造するとき、上記基板を用いる製品の最終消費者もこの節減の恩恵をこうむることができるとすれば特に重要である。このような製品は、コンピュータ、コンピュータサーバ、メインフレーム、およびコンピュータに直接関係しない多くの他の製品を含むことができる。
【０００７】
既知であるように、これらの基板は通常、平行で、平面状で、交互に配列される絶縁基板材料および導電性材料の内側層から成る。積層構造の露光された外側には、２面基板と同様に、回路パターンが設けられることが多く、金属内側層は通常、回路パターン、あるいは、内側電源面の場合、実質上固体の層を含む。これらの後者の層は、隙間開口部または所望される場合他の開口部も含むことが多い。
【０００８】
多層プリント回路板およびチップキャリアでは大抵、基板の様々な導電層または導電面間に導電性相互接続を設ける必要がある。電気的相互接続を必要とする面または層と連通する、金属化された導電性貫通孔を基板に設けることによって普通達成される。用途によっては、導電層のすべてまたはほぼすべての間を電気的に接続することが望ましい。また、基板の１面の回路と内部回路層の１つまたはそれ以上との間を電気的に接続することも望ましい場合が多い。これらのケースでは、基板を部分的にのみ貫通する「盲導通孔」（ブラインドスルーホール）が設けられる。さらに別のケースでは、このような多層基板は、基板の構造内全体に配置され、外側の絶縁層および導電層の両方によって覆われる内部「導通孔」を必要とすることが多い。上記内部「導通孔」は通常、最終基板のサブパート構造内に形成され、その後で基板の最終積層が行われている間に他の層と結合される。よって、当該技術で使用される「導電性貫通孔」という用語は、基板を完全に貫通する貫通孔（プリント回路では、めっき貫通孔またはＰＴＨとも称される）、基板の外表面から基板の特定の導電層に延在する「盲導通孔」、および基板の外側層に内部で「捕捉」される「内部導通孔」を含むことができる。
【０００９】
基板上に所望の回路パターンを設けるため、さらに多くの様々な製造プロセスが必要とされ、それらの例は「減法的」または「付加的」技術の広範なカテゴリーに属する。減法的処理に共通するのが、回路が所望されない領域で基板表面を露光させるために金属をエッチングで除去（または取り去る）必要性である。一方、付加的プロセスは、露光基板表面（または追加の電気めっきのための薄共通金属層）から始まり、その上の所望の領域に金属を補強する。所望の領域は、めっきレジスト材料（たとえば、プリント回路板分野ではフォトレジストと呼ばれる）の予め塗布されたパターンによってマスクされていない領域である。
【００１０】
通常、上記多層製品に使用される絶縁体材料は、絶縁体（普通は硬化される樹脂）内に繊維またはメッシュの形のいくつかの形式の指示材料を含む。今日、業界で既知であり使用される、おそらく最も一般的な形式の上記絶縁体材料は、単に「ＦＲ４」と称され、グラスファイバを内部に埋め込んだエポキシ樹脂から成る。上記グラスファイバは通常、硬化および固化された樹脂内で延びる連続または半連続繊維の形を取る。他の絶縁体材料としては、ポリテトラフルオロエチレン（たとえば、Ｅ．Ｉ．ｄｕ  Ｐｏｎｔ  ｄｅ  Ｎｅｍｏｕｒｓ＆Ｃｏｍｐａｎｙの商標であるＴｅｆｌｏｎ）およびＤｒｉｃｌａｄ材料（Ｄｒｉｃｌａｄは本発明の譲受人、Ｅｎｄｉｃｏｔｔ  Ｉｎｔｅｒｃｏｎｎｅｃｔ  Ｔｅｃｈｎｏｌｏｇｉｅｓ、Ｉｎｃ．の商標である）などが挙げられる。ただし、上記他の材料に関しては、補強目的のために繊維またはメッシュを設ける必要があるとみなされることが多い。
【００１１】
グラスファイバ、特にグラスファイバ織物の存在は、レーザーを用いる場合を含め、高品質な極小の貫通孔を形成する能力を実質上損なう。この問題は、特にコンピュータ分野での今日の回路基板の多くの高密度要件を満たすために上記貫通孔のパターンが必要とされるとき大幅に増大する。高密度パターンの例は、１平方インチ当り５，０００個もの密な貫通孔パターン、そしておそらくそれ以上多く、いくつかの既知な例では基板領域に１平方インチ当り１０，０００個の貫通孔を含むことができる。上記環境で使用される場合、ガラス布は、典型的な熱硬化性または熱可塑性マトリックス樹脂とは大幅に異なる吸収および剥離熱特性を有する。典型的なガラス布織物では、たとえば、レーザーが遭遇しうるガラス密度は、ウィンドウ領域で約０容量％から、特に布「ナックル」上の領域では約５０容量％またはそれ以上に変動する。このガラス密度の広範な変動は、各貫通孔にとって適切なレーザー出力を得るという問題につながり、結果的に貫通孔の質が広範に変動し、今日の非常に厳しい製造基準では明らかに許容されない。
【００１２】
ここで言及した種類の多層構造におけるグラスファイバの存在は、ＣＡＦ成長として知られる電気的故障モードの原因となることが多い。ＣＡＦ（陰極／陽極フィラメント）成長は、樹枝状金属フィラメントがインタフェース（通常、グラスファイバ／エポキシ樹脂インタフェース）に沿って成長するときに発生する電気的短絡故障を招き、電気的に絶縁状態に維持されるべき２つの特徴間に電気経路を作り出すことが多い。連続（織布など）あるいは半連続（短繊維マットなど）にかかわらず、グラスファイバ長は、絶縁された内部特徴間の一般的距離と比べて相当長いため、グラスファイバはＰＣＢ絶縁抵抗の信頼性を大きく損なう可能性がある。（連続構造で見られる長繊維と比較して）ランダムな非連続短繊維から成るガラスマットの使用は、不十分なレーザー穿孔貫通孔の質の問題を大幅に低減させる可能性があるが、上記マットは内部基板の特徴的間隔と比べて実質的に長い繊維をいまだに含み、場合によっては、この非常に望ましくない種類の成長の問題を実質上全く軽減していない。
【００１３】
上記貫通孔を回路基板に設けることさらにを含め、多層基板を含む回路基板の製造方法が、上記方法によって製造される各種基板の例とともに、以下の番号の米国特許掲載公報に図示され記載されている。
６，０１５，５２０      プリント配線板の孔の充填方法
６，０７３，３４４      複数導体を形成するめっき貫通孔側壁のレーザーセグメント化
６，１７５，０８７      複合積層回路構造およびその形成方法
６，１８８，０２７      化学的攻撃からのめっき貫通孔の保護
６，２０４，４５３      ２信号１電源面回路基板
６，３４９，８７１      回路板の再加工プロセス
６，３８８，２０４      複合積層回路構造およびその相互接続方法
６，４７９，０９３      複合積層回路構造およびその相互接続方法
６，４９３，８６１      めっき貫通孔の相互接続シリーズおよびその製造方法
６，４９５，２３９      絶縁体構造およびその形成方法
６，５２１，８４４      配線および未硬化絶縁体を有する光画像形成可能絶縁体構造における貫通孔
６，６２６，１９６      湿式化学処理前に小−高アスペクト比穿孔を脱気する処置および方法
６，６２８，５３１      多層およびユーザ構成可能ミクロプリント回路板
６，６３０，６３０      多層プリント配線板およびその製造方法
６，６３０，７４３      銅めっきＰＴＨバレルおよびその製造方法
６，６３１，５５８      盲導通孔レーザー穿孔システム
６，６３１，８３８      プリント回路板の製造方法
６，６３８，６９０      多層回路の製造方法
６，６３８，８５８      孔金属充填方法
６，７５０，４０５      ２信号１電源面回路基板
【００１４】
上記同時係属出願に言及したように、連続プロセスと称することのできる方法を用いて回路基板の少なくともいくつかの部分を製造する試みがなされてきた。これらのプロセスの数例を以下説明する。上記および下記特許のリストは、本発明に対する先行技術であると認めるものではない。
【００１５】
１９８３年２月８日に発行された特許文献１には、繊維基板を液体樹脂（揮発性溶剤を含まず、液体および気体副産物を生成せずに硬化可能とされる）に含浸するステップと、複数の樹脂含浸基板を一体的部材に積層するステップと、該積層物を一対のカバーシート間で挟むステップと、認識可能な圧力を印加せずに前記一対のカバーシート間の積層物を硬化するステップと、を備える強化樹脂積層を製造するための「連続」プロセスが記載されている。本特許は、含浸基板の総重量に基づき、樹脂含浸基板の最終樹脂含有量を１０〜９０重量％で調節することを記載している。
【００１６】
１９８５年１２月１０日に発行された特許文献２には、複数の繊維基板を硬化可能液体樹脂に含浸し、複数の基板を共に結合して、前記基板の少なくとも１つの面に金属箔を同時に積層し、該積層物を硬化することによって、「連続」的に製造される金属クラッド積層物が記載されている。この特許文献２の発明は、金属箔に接着剤を塗布して膜を形成し、前記金属箔の積層ステップ前にその場で連続的に膜を加熱するステップについて説明している。
【００１７】
１９８６年４月１日に発行された特許文献３には、電子機器の回路基板として使用するために、少なくとも１つの面が高純度電解銅箔で絶縁材料ウェブのコア製の「電気めっき」を形成することが記載されている。絶縁材料ウェブと銅箔は、無接触で供給ロールから積層機械に導かれる。積層機械に導入する前に、銅箔は、絶縁材料ウェブに接触するときに最大熱膨張長に達するように積層作業温度まで加熱される。さらに、積層機械に入るときに、銅箔から埃が除去される。ウェブおよび銅箔は、積層機械を通じて同速で移動させられる。積層機械内で押圧された後、電気めっきは冷却装置を通過させられる。続いて、電気めっきは、ロール上に巻かれるか、あるいは個々の長さに切断される。
【００１８】
１９８７年４月２１日に発行された特許文献４には、無溶媒熱設定樹脂の被覆が金属箔表面に塗布される「連続」的な方法が記載されている。この樹脂被覆箔は前進して、強化布シート層と接触して箔／布アセンブリを形成する。アセンブリは、反対方向に回転し、相互対抗面を有する一対のエンドレスベルト間で連続的に送られ、該ベルトは樹脂の硬化温度まで加熱されることで、アセンブリに押し付けられ、連続的にアセンブリを圧縮し樹脂を硬化させて、後で回路化可能な複合生成物を形成する。この部分的なプロセスは、より複雑な構造の基板、特にその１部として導電性貫通孔を要する基板にとって必要な、上述したような必須ステップの多くを含まない。
【００１９】
１９９２年１０月１３日に発行された特許文献５には、多層電子回路パッケージの製造方法が記載されている。多層回路パッケージは、回路化されるポリマ封入金属コアである少なくとも１つの層を有する。この特許文献５に記載された方法によると、金属箔が層の金属コアのために設けられる。この金属コア箔は、単独ユニットとして、あるいはロールツーロールプロセスで設けることができる。貫通孔が、金属箔を介して穿孔され、エッチングされ、あるいは打ち抜かれる。次に、ポリマを箔に接着するために、接着促進剤が有孔金属箔に塗布される。次に、絶縁体ポリマが、蒸着、化学蒸着、噴霧、または電解蒸着によって有孔金属箔コアに貼付され、熱処理可能な絶縁体ポリマまたはその前駆物質が、貫通孔の壁を含む有孔金属箔の露光面に貼付される。次いで、絶縁体ポリマまたはその前駆物質は熱処理されて、貫通孔の内表面を含む有孔金属箔の表面に共形絶縁体ポリマ被覆を形成する。その後で、この絶縁体ポリマ被覆は回路化し、次の隣接層への積層のために接着剤で被覆することができる。積層後、１つまたはそれ以上のチップが、完成されたパッケージに装着される。
【００２０】
２００２年１２月３１日に発行された特許文献６には、ポリマを銅箔のマット面に形成する膜を塗布し硬化させることを含む、多層回路構造を形成するための「連続」プロセスが記載されている。箔の反対（光沢）面が清掃され、フォトレジストを塗布された後、乾燥させられる。フォトレジストが露光され、画像領域を残しつつ、非画像領域を除去するように現像される。次に、除去された非画像領域下の箔はエッチングされて銅パターンを形成し、残りのフォトレジストが除去される。その後、箔はセクションに切断され、整合孔を開けられる。次に、銅パターンは接合強化処理を施され、瑕疵がないかどうか検査され、基板に積層されて多層回路構造を形成する。
【００２１】
本発明は、当該技術において既知な上記および他のプロセスと比較して、導電性貫通孔を有する回路基板の新規で独自の形成方法を示す。重要なことに、ここで定義される方法は、連続プロセスが、少なくとも１つの別の（好ましくはそれ以上の）サブコンポジットとともに最終的に最終複合多層基板を成すサブコンポジットのうちの主要素子の１つを形成するために使用される、回路基板の製造ステップを含み、これらのサブコンポジットが一緒に接合されて最終構造を形成する。重要な点として、その後、貫通孔を形成するレーザー剥離を使用することで、機械的穿孔の必要性を省きながら、形成された複合構造全体を通って延在する貫通孔を形成することができる。サブコンポジットの絶縁体材料は、グラスファイバをその１部として含まないため、絶縁体を損傷しない有効なレーザー穿孔を保証する。高密度の貫通孔パターンはこのように可能である。上記方法は、当該技術分野において大幅な進歩を示すと考えられる。
【特許文献１】米国特許第４，３７２，８００号
【特許文献２】米国特許第４，５５７，７８４号
【特許文献３】米国特許第４，５７９，６１２号
【特許文献４】米国特許第４，６５９，４２５号
【特許文献５】米国特許第５，１５３，９８６号
【特許文献６】米国特許第６，５００，３４９号
【発明の開示】
【発明が解決しようとする課題】
【００２２】
したがって、本発明の第１の目的は、上記基板を製造する新規で独自の方法を提供することによって回路基板技術を向上させることである。
【００２３】
本発明の別の目的は、所望されれば、基板の各種導電層を相互接続するために、上記貫通孔が機械的穿孔なしに形成されることを含め、複数の導電性貫通孔が形成される上記プロセスを提供することである。
【００２４】
本発明のさらに別の目的は、大半は少なくとも、広範囲な修正なしに従来のプリント回路板技術（方法と装置を含む）を用いて実行可能な上記プロセスを提供することである。
【課題を解決するための手段】
【００２５】
本発明の一態様によると、第１および第２の導電層内に第１および第２の複数の開口部をそれぞれ形成することを含む連続プロセスを用いて第１および第２の導電層を形成する工程と、第１および第２の導電層をそれぞれ含む第１および第２のサブコンポジット基板を形成し、少なくとも１つの絶縁層が第１および第２の導電層のそれぞれに接合される工程とを備える多層回路基板の製造方法が定義される。
【００２６】
重要なことに、サブコンポジット絶縁層は、連続または半連続繊維をその１部として含まない。該方法はさらに、これらの第１および第２の導電層内の第１および第２の複数の開口部が互いに対して整列するように第１および第２のサブコンポジットを互いに対して整列させる工程と、第１および第２のサブコンポジットを一緒に接合して多層基板を形成する工程と、第１および第２の導電層内の整列された第１および第２の複数の開口部を含め、多層基板の厚さ方向に複数の孔をレーザー穿孔する工程と、多層基板の厚さ方向に導電性貫通孔を形成するように複数の孔内に導電性材料を提供することを備える。多層基板は第１および第２の導電層と形成された導電性貫通孔とを含むことで、回路基板を形成する工程とを備える。
【発明の効果】
【００２７】
本発明では、第１および第２の導電層内に第１および第２の複数の開口部をそれぞれ形成することを含む連続プロセスを用いて第１および第２の導電層を形成する工程と、第１および第２の導電層をそれぞれ含む第１および第２のサブコンポジット基板を形成し、少なくとも１つの絶縁層が第１および第２の導電層のそれぞれに接合される工程とを備える多層回路基板の製造方法が定義されるので、上記基板を製造する新規で独自の方法を提供することによって回路基板技術を向上させることができるのである。
【００２８】
また、本発明によれば、所望されれば、基板の各種導電層を相互接続するために、上記貫通孔が機械的穿孔なしに形成されることを含め、複数の導電性貫通孔が形成される上記プロセスを提供することができるのである。
【００２９】
さらに、本発明によれば、大半は少なくとも、広範囲な修正なしに従来のプリント回路板技術（方法と装置を含む）を用いて実行可能な上記プロセスを提供することができるのである。
【発明を実施するための最良の形態】
【００３０】
本発明の他のおよび追加の目的、利点、および機能ととともに、本発明の理解を深めるため、上記図面と組み合わせて以下の説明および添付の請求項を参照する。図面全体において同様の構成要素には同一の符号を付すことを理解されたい。
【００３１】
基板構造を定義するために本明細書で使用される「サブコンポジット」という用語は、少なくとも１つの絶縁層とそれに接合される少なくとも１つの導電層とを含む基板を意味し、この「サブコンポジット」は他の同様のサブコンポジットに接合されてより大型の多層回路基板を形成するように構成される。
【００３２】
それぞれが本明細書でサブコンポジットの重要な部分を形成する導電層を製造するプロセスを定義する際に本明細書で使用される「連続」という用語は、この導電層が層の最終構造（断面および外形寸法）を定義する最終セグメント化の時点まで連続層の形状を成すことを意味する。その後、このセグメント化された層は、少なくとも１つ（好ましくは２つ）の他の絶縁層に接合されて、上記サブコンポジットを形成する。すなわち、この導電層を製造するすべてのステップは、セグメント化が生じるまで、導電層が元の供給源（たとえば、ロール）から提供されるままである間に実行される。
【００３３】
既知の絶縁層用のグラスファイバを定義するために本明細書で使用される「連続」という用語は、絶縁層の全幅または全長にわたり連続的に延在する繊維を意味する。この意味で使用される「半連続」という用語は、上記繊維が存在する絶縁層の全幅または全長よりも短い長さを有する「短繊維」と称されることもある、長さの短いグラスファイバを使用していることを意味する。
【００３４】
本明細書で使用される「回路基板」という用語は、２つ以上のサブコンポジットと、多層基板の板厚の全体を通して延在することによって、各基板との複数回路経路を提供する複数の導電性貫通孔とから成る多層基板を意味する。
【００３５】
図１では、本発明の１実施形態による、本明細書で製造されるサブコンポジット（以下に定義）で使用される複数の導電層を形成するための様々なステップが示される。これらのステップは、上述したようにこれらの層を連続的に製造できる、すなわち個々の各層部材の最終分離がプロセスの最後で生じるまでこの連続フォーマットのままでいる導電性材料の連続層から各導電層が形成される装置２１を用いて実行される。
【００３６】
この図１では、第１および第２のフォトレジスト層２３および２５はそれぞれ個々のロール部材２７および２９から第１の接合ステーション３１に提供される。この供給作業の一環として、導電層３３も、上側および下側フォトレジスト層２３および２５の間に挟まれるようにロール部材３５から供給される。好ましくは、これら３つの層は、層を一緒に引き寄せて接合ステーション３１に供給する、第１のセットのフィードローラ３７に提供される。好適な実施形態では、接合ステーション３１は、少なくとも一対の対向加熱ローラ３９および４１を含む。ゴム被覆スチールコアから成るこれらのローラはそれぞれ好ましくは、所定温度（１実施形態では、約７５〜約１３０℃の範囲）に加熱される。ローラ３９および４１を加熱するのに様々な手段を利用することができ、好ましくは、各ローラのスチールコア内に含まれる電気抵抗ヒータである。ローラ３９および４１はそれぞれハウジング４５内に配置されるように示されるが、必ずしも必須ではない。ローラはその間を通過する際に約１０ポンド／平方インチ（ｐｓｉ）〜約８０ｐｓｉの範囲の力を層に印加する。その結果、外側フォトレジスト層２３および２５はそれぞれ中間共通導電層３３にしっかりと接合される。
【００３７】
好適な実施形態では、層２３および２５はそれぞれ従来のドライフィルムフォトレジストから成り、好適な例は、米国ノースカロライナ州Ｒｅｓｅａｒｃｈ  Ｔｒｉａｎｇｌｅ  Ｐａｒｋに本社を置くＥ．Ｉ．ｄｕ  Ｐｏｎｔ  ｄｅ  Ｎｅｍｏｕｒｓ  ａｎｄ  Ｃｏｍｐａｎｙから入手可能なＲｉｓｔｏｎ  ＥｔｃｈＭａｓｔｅｒフォトレジストである。各層は好ましくは、約０．６ミル〜約２．０ミルの範囲の厚みを有する。対応する中間導電層は好ましくは銅であり、約０．５ミル〜約３ミルの厚さを有する。上記の内容から理解されるように、この導電層３３は、本明細書の基板で使用される各導電層の最終長を定義する選択長に切断されるまで、本明細書で定義される連続的方法全体を通じて実質上固体の（設けられる開口部を含む）一体的部材である。
【００３８】
３つの層の圧縮（積層）が行われた後、接合構造が結果的に生じており、次のステーション３２に渡される。ステーション３２では、接合構造（外側層を形成するフォトレジストとともに）は、フォトレジスト材料が本明細書の特定の開口部パターンを定義するように露光される露光ステップに従う。これらの開口部は最終的に、各上記導電層において開口部の所望のパターンを形成するはずである。１例では、これらの開口部は隙間開口部としての役割を果たすことができるが、他の能力での機能を果たすこともできる（たとえば、サブコンポジットの１部を成す１つまたはそれ以上の他の導電層に対する電源面として）。銅層のパターンを定義するため外側フォトレジスト層に開口部パターンを定める必要がある。というのは、フォトレジストは主にこの目的で使用され、この連続プロセスの以降のステップで最終的には破棄される（剥ぎ取られる）からである。ステーション３２で実行される露光作業は、符号４７で示される既知の露光ランプを用いて行われ、さらに各種マスキング構造（図示せず）が必要とされ、該構造は当業者の知識の十分範囲内にあると理解される。
【００３９】
露光が行われた後、接合された３層構造は、フォトレジストの現像、複合物内の開口部のエッチング、およびその後のフォトレジストの除去が実行されるステーション５１に移動させられる。現像はフォトリソグラフィ処理で既知な従来の現像剤を用いて達成され、現像剤は構造の外表面に蒸着されて、フォトレジスト材料の対応部分を除去し、その下の所望の開口部位置を露出させる役割を果たす。エッチング手順の間、従来のエッチャント（好ましくは塩化第二銅）が、噴霧装置５３および５５を用いて複合物上に噴霧される。よって、そのように形成された構造はこれらの開口部５７を含む。現像された（除去された）孔を有し、開口部５７に対して整列する対応するフォトレジスト層２３および２５も示される。エッチングは開口部５７を設ける手段として定義されるが、本発明はそれに限定されず機械的穿孔またはレーザー穿孔およびパンチングを含む他の手順も可能であり、これらの方法はフォトレジスト層２３および２５の使用を必要としない。
【００４０】
いまだに単独の細長部材として示される導電層３３はさらに、高精密テレビカメラが、ステーション５１からの回収後に残る共通導電層３３内でのみ見つかる、形成された孔を検査する光学試験装置６１へと送られる。上述したように、上記現像およびエッチングプロセスは、この銅層のみが先に進められるように、中間銅導電層３３から外側フォトレジスト層２３および２５を有効に除去するのに供する。
【００４１】
図１に示されるように、光学試験装置６１での光学検査後、導電層３３は、次のステーション６３に連続的に進められ間に、個々の導電層６５に分離される。このとき、分離作業は、好ましくは、対向刃が使用されるせん断装置を用いてなされる。１例では、個々の導電層部材６５はそれぞれ、約１８インチの幅と約２４インチの長さを有することができる。それぞれが、内部に開口部の所望のパターンを含む。本発明の１例では、各層部材６５は、１平方インチ当り約１〜約２８，０００個の開口部のパターン密度で、約５００〜約５００，０００個の開口部を含むことができる。上記多数の開口部は、本明細書の教示を用いて可能となる高密度化を示す。
【００４２】
本発明の独自の教示によると、それぞれが同一の開口部パターンを有する複数の同様の導電層部材６５を設けるだけでなく、異なる開口部パターンの上記導電性部材を設けることも可能であると理解される。この開口部パターンの差異は、ステーション３２での各自の露光作業を調整することにより、フォトレジストの異なる部分を露光し、中間銅層３３の金属の同様に異なるパターンを露光する適切なソフトウェアを用いて達成することができる。その後、エッチングは上記のようにして行われるが、今回はこの異なる開口部パターンを形成する。
【００４３】
図２では、導電層６５の１例を、図１よりもずっと大きく示す。導電層６５は上述したように、本発明のサブコンポジットの１つの１部を成し、先に定義したようなパターンで形成される複数の開口部５７を含む。１実施形態では、導電層６５はサブコンポジット内の電源面としての機能を果たすが、所望されれば、別の形で、たとえば、信号面としての機能を果たすことができる。
【００４４】
図３では、絶縁体材料の２つの層６７および６９は、導電層６５の対向面に接合されることによって、各開口部５７を満たす。上記接合を達成する１つのプロセスは従来のＰＣＢ積層を使用することであり、この特別なケースでは、積層は、約１８０℃〜約３６５℃の温度と、それに対応する約１００ｐｓｉ〜約２０００ｐｓｉの圧力で行うことができる。最も重要なことに、層６７および６９の絶縁体材料は、連続または半連続にかかわらず、グラスファイバを含まない。上記特性を有する絶縁体材料の１例は、Ｅ．Ｉ．ｄｕ  Ｐｏｎｔ  ｄｅ  Ｎｅｍｏｕｒｓ  ａｎｄ  Ｃｏｍｐａｎｙ（「Ｔｈｅｒｍｏｕｎｔ」はＥ．Ｉ．ｄｕ  Ｐｏｎｔ  ｄｅ  Ｎｅｍｏｕｒｓ  ａｎｄ  Ｃｏｍｐａｎｙの商標である）から入手可能な不織アラミド絶縁体材料である「Ｔｈｅｒｍｏｕｎｔ」積層材料として知られる。この材料は、多くの既知の絶縁体材料よりも低い、寸法安定性が強化された面内熱膨張率（ＣＴＥ）を提供する。層６７および６９に適した他の材料は樹脂被覆銅（ＲＣＣ）と称され、選択された樹脂（たとえば、エポキシ）が薄銅層に被覆され、この２層構造が導電層６５に接合される。図３の実施形態では、ＲＣＣが使用され、この構造の１部として残る薄銅層７１および７３も示される。当然ながら、樹脂が銅層に被覆され、これらの構造が（たとえば、上述されるような従来の積層を用いて）導電層６５の対向面に接合され、図示されるように、硬化した樹脂が導電層６５に面している。この接合の結果、本実施形態では、中間共通導電層６５と２つの対向絶縁層６７および６９を含むサブコンポジット７５が形成される。さらに、外側薄銅層７１および７３は、このサブコンポジットの１部を成す。１実施形態では、銅層７１および７３は約０．２５ミル（１ミルは１０００分の１インチである）の厚さを有し、層６７および６９はそれぞれ約２ミルの厚さを有することができる。その後、サブコンポジット７５は、約５ミルの全体厚を有する。本発明は、グラスファイバが含まれていないことを条件に、他の絶縁体材料を使用することができるため、絶縁層材料にＲＣＣまたは「Ｔｈｅｒｍｏｕｎｔ」を使用することに限定されない。
【００４５】
図４では、複数の開口部７７を、好ましくはレーザー穿孔、特に炭酸ガスまたはＵＶ−ＹＡＧレーザーを用いて、サブコンポジット７５内に形成することができる。本実施形態では、各開口部７７はわずか約４ミルの直径を有することができ、約１５０、０００個もの上記開口部をサブコンポジット７５内に形成することができる（図示目的のため４つのみを示す）。これらの開口部７７は、１平方インチ当り約２８、０００個の開口部の密度パターンをとることができ、それにより本発明が様々な相互接続および他の回路素子に対して非常に精密な細部を実現することができることを示す。
【００４６】
また、開口部７７は、導電層６５内の対応する開口部５７を通って延在することができるが、小径なので、導電層６５の内側導電面に露光しない。１つの開口部７７（図４では右から２つ目）は図示されるように、導電層６５の内壁と同一平面状の内壁を有することができる。他の組み合わせも可能であり、さらなる定義は今回は不要と思われる。開口部７７が穿孔された後、各開口部は好ましくは（従来の清浄溶剤を用いて）清掃され、その後、導電性を有するように導電性材料が提供される。導電層６５の内側導電面に露光する開口部７７の場合、この導電性材料はその上にも形成される。１実施形態では、各開口部の内壁はＰＣＢ製造において既知な従来の作業を用いて、従来の金属、たとえば、パラジウムを「埋め込まれる」。埋込後、開口部は、金属、たとえば、銅の層８１で厚さ０．５ミルまでめっきされる。これを実現する好適なめっき作業は電解銅めっきである。各開口部７７は約３ミルの内径を有する。
【００４７】
図５では、サブコンポジット７５は、フォトレジストが対向する表面に塗布され、露光および現像され、除去される従来のフォトリソグラフィ処理作業と、その後のエッチング作業（たとえば、従来の塩化第二銅エッチャントを用いる）にしたがう。その結果、各導電性開口部（貫通孔）７７の対向端の「ランド」素子９１と各種信号線９３とが形成され、その全部がサブコンポジット７５の外表面に配置される。線９３のパターンは、製品設計者が要求し、図示目的のためのみに示される任意のパターンであってもよい。開口部７７のパターンは任意の配位を取ってもよい（たとえば、ある対はより密に配位され、別の対は間隔を置いて配位される）と理解され、描写されるパターンも図示目的である。簡潔に言うと、本発明の１実施形態によるサブコンポジットを製造する形成ステップは、図５に示されるように完結する。
【００４８】
図６では、３つの上記サブコンポジット７５、７５'および７５''が一緒に整列され接合されて多層基板１０１を形成するように示される。本発明の最も広範な態様では、基板１０１は上記サブコンポジットを２つだけ含むことができる。所望であれば、最終多層製品の作業要件に応じて３つ以上を使用することもできる。重要なことに、各サブコンポジットは信号線パターンに関係なく、それぞれの開口部７７が他の２つのサブコンポジットの対応する開口部に対して垂直に整列されるように互いに対して整列される。
【００４９】
サブコンポジットの接合は、従来のＰＣＢ積層プロセスを用いて達成され、今回は約１７０℃〜約２１０℃（たとえば、１９０℃）の温度範囲と約４００ｐｓｉ〜約６００ｐｓｉ（たとえば、５００ｐｓｉ）の圧力を含む。サブコンポジットの数、使用される各種材料などに応じて、他の圧力および温度も可能である。このプロセスの一環として、無ガラス絶縁層１０３および１０５が各サブコンポジットの対向面に整列され、中間サブコンポジット７５'の対向面上のこれらの絶縁層間に、個々の導電層１０７も整列される。次に、サブコンポジット、追加絶縁層、および２つの追加導電層のサブアセンブリ全体が、上述の温度および圧力で、従来の積層圧縮で積層される。層１０３および１０５の好適な絶縁体材料は、上述の「Ｔｈｅｒｍｏｕｎｔ」または定義されたＲＣＣ材料である。ＲＣＣ材料が外側層に使用される場合、それぞれが薄銅層１０９を含み、層１０９は図３の層７１とほぼ同じ厚さを有するため、基板１０１に少なくとも２つの追加の導電（たとえば、信号）層を提供することができる。よって、図６の基板１０１は、少なくとも１３の個々の導電層を含むように示され、各サブコンポジット内の導電層は図示されるように相互接続される。
【００５０】
図７では、外側銅層１０９は（マスクを用いて）エッチングされ、孔１１１を設ける。これらの孔１１１はそれぞれ、接合されたサブコンポジット内で既に整列された開口部とともに並べられる。どのレーザーが次のステップ（後述）で使用されるかに応じて、上記孔１１１が形成されてもよいし、形成されなくてもよい。
【００５１】
図８では、開口部１１３は、基板１０１の厚さ方向全体を通じて形成される。これらの開口部は、レーザー穿孔、好ましくはＣＯ２レーザーまたはＵＶ−ＹＡＧレーザーを用いて形成される。孔１１１は、ＣＯ２レーザーが使用される場合は必ず図７に示されるように形成され、ＵＶ−ＹＡＧレーザーが使用される場合（このレーザーは穿孔作業の一環として孔を形成することができる）は予め形成されない。厚さ方向全体を（基板１０１はこの段階ではおそらく２５ミルの全体厚を有する）レーザー穿孔することは、本明細書の教示に関連して非常に重要であると考えられる。
【００５２】
上記厚さ方向を貫通して穿孔することは、基板の内部層、特に絶縁層への（たとえば、過剰な熱による）損傷なしで可能である。基板の絶縁層内にグラスファイバが存在しないため、正確な穿孔も可能である。その結果、導電性開口部の高密度パターンを形成する際に必須の特徴である内部開口部壁の一体性を維持しつつ、上述の相対的最大厚まで複数の上記開口部１１３（１例では、先に定義された開口部７７と同じパターン密度を含む１５０，０００個）を穿孔することができる。同様に重要な点として、確固たる壁の一体性を確保することで、開口部をサブコンポジットの各対応開口部内に精密に配位することによって、図示されるように、前記開口部に形成された導電層を露出させることができる。上記隙間が所望されることを仮定し、開口部１１３が追加内部導電層１０７の内径をクリアにすることを保証する配列も可能である。本明細書の教示によって、レーザー穿孔された開口部１１３は所望されれば層１０７の導電性表面を露出させて、完成品のためにさらに可能な回路の組み合わせを追加することができる。
【００５３】
図９では、各開口部１１３は、好ましくは各サブコンポジットに対して図４の導電性開口部を形成するために使用されたのと同様のプロセスを用いて、薄導電層１１５を形成するように導電性材料がめっきされる。図４の開口部で行われたように、上記めっきの前に開口部を清掃することも望ましい。その結果、各層１１５は０．５ミルの厚みを有し、対応する開口部の内径はわずか約２ミルである。めっき作業の結果、その位置で所望される場合、図示されるように、基板１０１の外表面にめっきが形成される。本発明では、図１０に示されるように、ランドおよびおそらくは他の回路特徴が結果的に形成されるように、そうなっている。よって、この外部めっきは、既に設けられた外側導電層１０９に厚みを追加することによって外側導電層を厚くする。外側導電層１０９が図６に関して定義されるステップで設けられていない場合、めっきされた導電層１１５だけが基板の外側導電媒体としての役目を果たす。
【００５４】
図１０では、図９の基板１０１は、各導電性開口部（貫通孔）の対向端で個々のランド１１７を形成するために、先に定義されたのと同様の従来のフォトリソグラフィプロセスにしたがう。ランド１１７は、所望されれば延在する信号線１１９（３つのラインセグメントで示される）を伴う場合を含め、異なる構造を取ることができる。すなわち、この従来のプロセスは、所望されればライン（図示せず）および幅の変動するランド構造を含め、追加の導電性機能を形成することもできる。ここでも、これは最終基板製品の作業要件に左右される。最終製品におけるこれらのランドは、基板１０１上に配置され結合されたとき、チップキャリアまたは半導体チップなどの電子パッケージの１部となることができるはんだボール（図示せず）または他の導体（たとえば、金属リード線）に結合するために使用することができる。
【００５５】
図１１では、従来のはんだマスク１２１が好ましくは既知の液体塗布プロセスを用いて基板１０１の外表面に塗布され、その後で従来の露光、現像、および硬化ステップが実行される。はんだマスク１２１は、はんだが塗布されたときに基板１０１の選択された外部露出面を保護して、たとえば、上述のはんだボールの対応する１つを収容するように設計されたはんだ層を提供する役割を果たす。
【００５６】
基板１０１は、その上に搭載され電気的に接続された上記電子部品および／または半導体チップなどの追加素子を有する準備が整っている。よって、本発明は、基板に対して確立された要件に応じて、これらを接続する電気回路の多くの組み合わせを提供することができる。了解されるとおり、上記搭載および接続は、基板の両対抗面で行うことができる。もしくは、搭載は一方の表面で行い、他方の表面ははんだボールを配置させて基板をより大きな「マザー」ＰＣＢなどの別の基板に接続するように構成することもできる。本発明の独自の教示を用いて、製品のいくつかの他の組み合わせが可能である。
【００５７】
従って、最終基板の１部を成すサブコンポジットの１部を成す導電層が、連続プロセスと称されるプロセスを用いて形成される、新規かつ独自の回路基板製造方法が図示され記載されている。サブコンポジットは、貫通孔が高密度パターンの基板の厚さ方向全体を通じて形成されるように、正確に整列されて共に接合される。基板の絶縁体材料は連続でも半連続でもグラスファイバを含まないため、高密度孔パターン構造においてグラスファイバに関連する多くの問題を排除する。
【００５８】
本発明の本好適な実施形態を図示し説明してきたが、当業者にとっては、添付の請求項に定義されるような本発明の範囲を逸脱せずに様々な変更や修正を加えることができるのは自明であろう。
【図面の簡単な説明】
【００５９】
【図１】複数の個々の導電層を連続的に製造する装置を示す平面図である。
【図２】図１に示した導電層の部分拡大断面図である。
【図３】図２に示した導電層の両側に絶縁体材料を接合して形成したサブコンポジットの部分拡大断面図である。
【図４】図３に示したサブコンポジットに開口部を形成し、この開口部内に銅の層を形成した状態の部分拡大断面図である。
【図５】図４に示したサブコンポジットの表面にフォトレジストを塗布してフォトリソグラフィ処理を行った後の状態を示す部分拡大断面図である。
【図６】３層のサブコンポジットを接合して形成した回路基板の部分拡大断面図である。
【図７】図６の多層基板の表面に形成した銅層に孔を形成したときの部分拡大断面図である。
【図８】図７の多層基板に貫通孔を形成したときの状態を示す部分拡大断面図である。
【図９】図８に示した貫通孔内に導電層を形成したときの状態を示す部分拡大断面図である。
【図１０】図９に示した多層基板にランドと信号線を形成したときの状態を示す部分拡大断面図である。
【図１１】図１０に示した多層基板にはんだマスクを施したときの状態を示す部分拡大断面図である。
【符号の説明】
【００６０】
２１    製造装置
２３    （第１）フォトレジスト層
２５    （第２）フォトレジスト層
２７・２９    ロール部材
３１    （接合）ステーション
３２    （次の）ステーション
３３    導電層
３５    ロール部材
３７    （第１セットの）フィードローラ
３９・４１    加熱ローラ
４５    ハウジング
４７    露光ランプ
５１    ステーション
５３・５５    噴霧装置
５７    開口部
６１    光学試験装置
６３    ステーション
６５    導電層
６７・６９    絶縁層
７１・７３    薄銅層
７５    サブコンポジット
７７    開口部
８１    銅の層
９１    ランド
９３    信号線
１０１  多層基板
１０３・１０５    無ガラス絶縁層
１０７    導電層
１０９    薄銅層
１１１    孔
１１３    開口部
１１５    薄導電層
１１７    ランド
１１９    信号線
１２１    はんだマスク
【図１】
2008277820.tif 000003
【図２】
2008277820.tif 000004
【図３】
2008277820.tif 000005
【図４】
2008277820.tif 000006
【図５】
2008277820.tif 000007
【図６】
2008277820.tif 000008
【図７】
2008277820.tif 000009
【図８】
2008277820.tif 000010
【図９】
2008277820.tif 000011
【図１０】
2008277820.tif 000012
【図１１】
2008277820.tif 000013